(57)【要約】      （修正有）【課題】ブレードに直接触れずに、ハンドルを振るだけで、片手で容易に安全かつ確実に操作できる簡単な構成を有するフォールディングナイフを提供する。【解決手段】背金４を挟んで、左側板２と右側板３とをボルト１１で固定したハンドル５の前端に、ブレード１が自由に回転可動な軸を設けるとともに、ハンドル５の前端上部にロック穴を設けることで、ブレード１の使用状態またはハンドル５内に収納状態ともにロック固定されるとともに、ハンドル５に設けたロックボタン１２を操作し、ハンドル５を振るだけで、ブレード１に直接手指を触れなくてもブレード１が回転可動となるよう、ブレード１の後端上下に圧縮バネと押しボールで加圧された２個のロックピンを設け、ハンドル５とブレード１とを連結させる。【選択図】図１
0003203806.tif 000002
【実用新案登録請求の範囲】
【請求項１】
背金を挟んで、左側板と右側板とをボルトで固定したハンドルの前端に、ブレードが自由に回転可動な軸を設けるとともに、ハンドル前端上部にロック穴を設けることで、ブレードの使用状態またはハンドル内に収納状態ともにロック固定されるとともに、ハンドルに設けたロックボタンを操作し、ハンドルを振るだけで、ブレードに直接手指を触れなくてもブレードが回転可動となるよう、ブレード後端上下に圧縮バネと押しボールで加圧された２個のロックピンを設け、ハンドルとブレードとを連結させることを特徴とするフォールディングナイフ。
【考案の詳細な説明】
【技術分野】
【０００１】
本考案は、ハンドルに設けたボタンを操作することにより、ブレードに触れることなくブレードを片手で容易に開閉できるフォールディングナイフに関するものである。
【背景技術】
【０００２】
従来、ハンドル内外に設けた装置を操作することにより、ブレードの開閉を片手で行えるフォールディングナイフがあった。ハンドルに設けたボタンやレバーを操作することでブレードのロックを開閉するフォールディングナイフは、ブレードに直接触れ操作することで開閉を行わなければならないものがあった。ブレードに触れ操作する手間と、それにより手指が損傷する恐れがあった。
【先行技術文献】
【特許文献】
【０００３】
【特許文献１】特開２００３−２３６２６４号公開（Ｐ２００３−２３６２６４Ａ)
【考案の概要】
【考案が解決しようとする課題】
【０００４】
上記の通り、特許文献１の折りたたみナイフは、ブレードのロックを開閉するためにブレードの少なくとも一部を伴って回動させなければならず、手指が損傷する恐れがあった。
【課題を解決するための手段】
【０００５】
本考案は、ブレードに直接触れることなく簡単な操作で,ブレードの使用状態またはハンドル内にブレードが収納された状態でもブレードはロックされ、不用意なロック解除が起こらず、安全かつ確実にブレードを片手で開閉できることを最も主要な特徴とする。
【考案の効果】
【０００６】
本考案のフォールディングナイフは、ハンドルに設けたボタンを押して操作するだけで、ブレードに直接触れることなくブレードを開閉でき、ブレードの開閉状態にかかわらずブレードはロックされハンドルに固定され、安全かつ確実にブレードとハンドルとを保持することができる利点がある。
【図面の簡単な説明】
【０００７】
【図１】図１は本考案の構成を示した斜視図である。
【図２】図２は本考案のブレードが開いている状態と閉じている状態との左側面の展開図である。
【図３】図３は本考案のブレードが開いている状態と閉じている状態との右側面の展開図である。
【図４】図４は、図２のＡ−Ａ’における断面図であり、ブレードが開いた状態である。
【考案を実施するための形態】
【０００８】
ブレードに直接触れずにブレードの開閉を片手でするという目的を、ハンドルに設けたボタンを含め最少の部品点数で、安全確実な作業を損なわずにできることを実現した。
【実施例】
【０００９】
本実施例に係るハンドルに設けたボタンを押して操作するだけで、ブレードに直接触れることなく片手で容易に開閉できるフォールディングナイフについて、図面を参照しながら説明する。図１は本実施例の斜視図であってブレード（１）と左側板（２）と右側板（３）と背金（４）とで構成されるハンドル（５）を備えている。
【００１０】
図２は、本実施例の展開図で、上図はブレード（１）が開いている状態でロックされ、ハンドル（５）の左側板（２）を取り外した左側面図である。下図はブレード（１）が閉じている状態でロックされ、ハンドル（５）の左側板（２）を取り外した左側面図である。
【００１１】
図１と図４とで、左側板（２）の前端にボルト（１１）とブッシング（２４）とで構成される軸を設け、ブレード（１）の回転中心部を経て右側板（３）とで固定する。
【００１２】
図２の上図と図４とで、ブレード後端上部にロックピン穴（１６）を設け、これを自由に移動できるロックピン（１３）を左側板（２）に設けたロック穴（８）とで連結することで、ブレード（１）が開いた状態でロックされる。
【００１３】
図２の下図で、ブレード（１）が閉じた状態のとき、ロックピン（１４）は左側板（２）に設けたロック穴（８）とで連結することで、ブレード（１）が閉じてハンドル（５）内に収納された状態でロックされる。
【００１４】
図４で、ロックピン（１３）は右側板（３）と右副側板（７）とで共通したボール穴（９）空間内に設けた押しボール（２２）と圧縮バネ（２１）とで、左側板（２）方向へ加圧されており、左側板（２）と左副側板（６）との空間内に設けたロックボタン（１２）で止められた状態となり、ブレード（１）は開いた状態でロックされ固定されている。
【００１５】
図４で、ロックボタン（１２）は左側板（２）と左副側板（６）とで連結された空間内を制限された範囲で可動し、ブレード（１）が開いている状態ではロックピン（１３）により左方へ押され、左副側板（６）で止められる。また、ロックボタン（１２）はブレード（１）が閉じた状態では、ロックピン（１４）と接し、押しボール（２２）と圧縮バネ（２１）とで押されたロックピン（１４）により左方へ押され、左副側板（６）で止められる。
【００１６】
図３で、ブレード（１）の後端右側面に設けられた半円状の溝（１９）は、押しボール（２２）の一部を収納し、円弧に沿ってブレード（１）に設けたピン穴（１６）とピン穴（１７）間を移動するよう設けた案内用レールである。これは、ブレード（１）が回転中に押しボール（２２）から受ける横圧力を減らしブレード（１）の回転を軽くするためにもうけたものである。
【００１７】
ブレード（１）が開いた状態にあるときロックを解除するには、図４で、ハンドル（５）に設けたロックボタン（１２）を左副側板（６）内に押し込み、ロックピン（１３）をブレード（１）内に収納させるとブレード（１）は回転可動となり、左側板（２）とブレード（１）との連結が解除されるので、ハンドル（５）をブレード（１）がハンドル（５）内に収納される方向へ振ると、反動で、ブレード（１）に手指を直接触れることなくブレード（１）は回転し、ハンドル（５）内に振り込み収納され、ロックピン（１４）が、左側板（２）のロック穴（８）内に圧縮バネ（２１）と押しボール（２２）とでブレード（１）内からロックピン（１４）の一部を押し出され連結し、ブレード（１）は閉じた状態でロック固定される。
【００１８】
ブレード（１）が閉じた状態にあるときロックを解除し、ブレード（１）を開き使用状態にするには、図４で示したロックピン（１４）はブレード（１）の回転により、ロックピン（１３）とその位置を入れ替わって左側板（２）のロック穴（８）と連結されているので、ブレード（１）を閉じるために行った操作と同様の操作ででロックを解除する。ロックが解除されたらハンドル（５）をブレード（１）が開く方向へ振り出すことでブレード（１）は手指で直接触れることなく回転させられ、ブレード（１）が開いた使用状態となる。
【００１９】
上記の通り、本実施例では簡単な操作によりブレード（１）は開いて使用状態にあっても、閉じてハンドル（５）内に収納状態にあってもブレード（１）はロックされ、使用時のブレード（１）とハンドル（５）との固定だけでなく、収納時でも不用意にブレード（１）が飛び出る恐れはない。
【００２０】
本明細書、または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうち一つの目的を達成すること自体で技術的有用性を持つものである。
【産業上の利用可能性】
【００２１】
ロックボタンを押して、ハンドルを振るだけでブレードの出し入れが容易に出来るため、使用者の身体的不利や利き手に係らず素早い動作での使用が可能である。
【符号の説明】
【００２２】
１      ブレード
２      左側板
３      右側板
４      背金
５      ハンドル
６      左副側板
７      右副側板
８      ロック穴
９      ボール穴
１１    ボルト
１２     ロックボタン
１３     ロックピン
１４     ロックピン
１６     ロックピン穴
１７    ロックピン穴
１９      溝
２１      圧縮バネ
２２      押しボール
２４      ブッシング      
【図１】
0003203806.tif 000003
【図２】
0003203806.tif 000004
【図３】
0003203806.tif 000005
【図４】
0003203806.tif 000006